【手続補正書】
【提出日】令和3年6月22日(2021.6.22)
【手続補正１】
【補正対象書類名】特許請求の範囲
【補正対象項目名】全文
【補正方法】変更
【補正の内容】
【特許請求の範囲】
【請求項１】
浄水を生産するための浄水装置（３００）であって、
―浄水流を生産するように配置された逆浸透装置（ＲＯ装置）（３０１）であって、供給水を受け入れるように配置された供給口（３０１ａ）および浄水出口（３０１ｂ）を含むＲＯ装置（３０１）と、
―供給水を前記供給口（３０１ａ）に送り出すように配置されたＲＯポンプ（４５０）と、
―前記浄水流の一部を前記ＲＯ装置（３０１）の下流の第１点から前記ＲＯ装置（３０１）の上流の第２点まで再循環させるように配置された再循環経路（３７５）と、
―浄水を前記浄水出口（３０１ｂ）から製品水ポート（１２８）に搬送するように配置された浄水経路（３７１）であって、前記再循環経路（３７５）の下流に配置され、製品水を前記製品水ポート（１２８）に搬送する製品水経路（３７１ｃ）を含む浄水経路（３７１）と、
―前記再循環経路（３７５）内の浄水の流量を調整するように配置された制御装置（３０５ａ）と、
―前記浄水経路（３７１）内の前記浄水の少なくとも１つの流体特性を検出するように配置された少なくとも１つの検出器（３０２、３０８、３０９、４１０）であって、これらの少なくとも１つの検出器（３０８、３０９）が前記製品水経路（３７１ｃ）内の製品水の少なくとも１つの製品流体特性を検出するように配置され、前記製品水経路（３７１ｃ）内の製品水の流量を検出するように配置される流量センサ（３０９）を含む、少なくとも１つの検出器（３０２、３０８、３０９、４１０）と、
―前記再循環経路（３７５）内の前記浄水の前記流量を調節するように前記制御装置（３０５ａ）を制御し、前記製品水経路（３７１ｃ）内の製品水の前記流量が所定の流量に相当することを含む、前記浄水経路（３７１）内の前記浄水の１つ以上の所定の基準を満たすために前記製品水経路（３７１ｃ）内の製品水の製品流体特性を制御するように前記制御装置（３０５ａ）を制御するように構成される制御部（１１２）であって、前記制御は、前記流量センサ（３０９）によって検出された前記流量を含む、前記少なくとも１つの検出器（３０２，３０８，３０９，４１０）によって検出された前記少なくとも１つの流体特性に基づいて実行される、制御部（１１２）と、を備える、
浄水装置（３００）。
【請求項２】
前記少なくとも１つの検出器（３０８、３０９）は圧力センサ（３０８）を含み、前記圧力センサ（３０８）によって検出された前記製品流体特性は前記製品水経路（３７１ｃ）内の製品水の圧力であり、前記１つ以上の所定の基準は、前記製品水経路（３７１ｃ）内の製品水の前記圧力が所定の上限圧力レベル未満に留まること、及び／又は、前記製品水経路（３７１ｃ）内の製品水の前記圧力が所定の圧力に相当することを含む１以上の所定の製品水基準を含む、請求項１に記載の浄水装置（３００）。
【請求項３】
少なくとも１つのフィルタが前記製品水経路（３７１ｃ）を通って流れる製品水をろ過するように配置され、前記所定の上限圧力レベルが、前記少なくとも１つのフィルタ又は前記製品水経路（３７１ｃ）に配置された他の任意のコンポーネントの圧力許容レベルに相当する、請求項２に記載の浄水装置（３００）。
【請求項４】
前記制御部は、所定の量の水を生産するために、所定の時間帯の間に前記製品水ポート（１２８）を通る所定の流量を得るように前記制御装置（３０５ａ）を制御するように構成される請求項１ないし３のいずれか１項に記載の浄水装置（３００）。
【請求項５】
前記所定の量が０．５〜４００リットル、例えば０．５、１、２、５、１０、２０、５０、７０、９０、１５０、２００又は３００リットルである、請求項４に記載の浄水装置（３００）。
【請求項６】
前記制御部は、前記少なくとも１つの検出器（３０８、３０９）によって検出された少なくとも１つの前記製品流体特性の変化に応じてアラーム機能を起動させるように構成される、請求項１ないし５のいずれか１項に記載の浄水装置（３００）。
【請求項７】
前記流量調節器が、電気的又は機械的に制御可能な弁を含む、請求項１ないし６のいずれか１項に記載の浄水装置（３００）。
【請求項８】
前記少なくとも１つの検出器（３０２、３０８、３０９、４１０）は、前記浄水経路（３７１）の浸透水経路（３７１ａ）において浸透水の流体特性を検出するように配置された少なくとも１つの検出器（３０２、４１０）を備え、前記浸透水経路（３７１ａ）は、前記製品水経路（３７１ｃ）の上流に配置され、前記制御部（１１２）は、１つ以上の所定の浸透水基準を満たすように前記浸透水経路（３７１ａ）内の前記浸透水の浸透流体特性を制御するように、前記少なくとも１つの検出器（３０２、４１０）によって検出された前記浸透流体特性に基づいて、前記制御装置（３０５ａ）を制御するように構成される、請求項１ないし７のいずれか１項に記載の浄水装置（３００）。
【請求項９】
請求項１ないし８のいずれか１項に記載の浄水装置（３００）であって、
―前記製品水経路（３７１ｃ）内を流れる前記製品水を加熱するように配置されたヒータ（３０２）、を含む浄水装置（３００）。
【請求項１０】
前記浄水装置（３００）は、前記ヒータ（３０２）の下流の前記浄水経路内の水の温度を測定するように配置された温度センサ（３０３）を備え、前記制御部（１１２）は、前記温度センサ（３０３）によって検出された前記温度に基づいて、前記ＲＯ装置（３０１）のＲＯ膜（３２４）を通って流れる水の前記温度を制御するように前記制御装置（３０５ａ）を制御するように構成される、請求項９に記載の浄水装置（３００）。
【請求項１１】
請求項１ないし１０のいずれか１項に記載の浄水装置（３００）であって、
―外部の水源から水を受け入れ、前記供給口（３０１ａ）に水を供給するように配置されたタンク（３５０）、を含む浄水装置（３００）。
【請求項１２】
請求項１ないし１１のいずれか１項に記載の浄水装置（３００）であって、
―前記浄水経路（３７１）内の前記再循環回路の下流に配置された研磨装置（３０６）、を含む浄水装置（３００）。
【請求項１３】
前記研磨装置（３０６）が、電気脱イオン化（ＥＤＩ）装置を含む、請求項１２に記載の浄水装置（３００）。
【請求項１４】
請求項１２又は１３に記載の浄水装置（３００）であって、
―浄水を前記ＲＯ装置（３０１）の前記浄水出口（３０１ｂ）から前記研磨装置（３０６）の入口まで搬送するように配置された浸透水経路（３７１ａ）、を含む浄水装置（３００）。
【請求項１５】
前記製品水経路が、前記研磨装置（３０６）の出口から前記製品水ポート（１２８）に浄水を搬送するように配置されている、請求項１２ないし１４のいずれか１項に記載の浄水装置（３００）。
【請求項１６】
浄水を生産する浄水装置（３００）内の少なくとも１つの流体特性を制御する方法であって、前記浄水装置（３００）は、浄水流を生産する逆浸透装置（ＲＯ装置）（３０１）と、前記浄水流の一部を前記ＲＯ装置（３０１）の下流の点から前記ＲＯ装置（３０１）の上流の点までを再循環するように配置された再循環経路（３７５）とを含み、前記方法は、
―浄水経路（３７１）の製品水経路（３７１ｃ）内の製品水の流量を含む少なくとも１つの製品流体特性を検出すること含み、前記浄水経路（３７１）内の浄水の少なくとも１つの流体特性の検出する工程（Ｓ１）であって、前記製品水経路（３７１ｃ）は、前記再循環経路（３７５）の下流に配置される、検出する工程（Ｓ１）と、
―前記製品水経路（３７１ｃ）内の製品水の前記流量が所定の流量に相当することを含む、前記浄水経路（３７１）内の前記浄水の１つ以上の所定の基準を満たすために前記再循環経路（３７５）内の水の流量を調節する工程（Ｓ２）であって、製品水の前記流量を含む前記少なくとも１つの検出された製品流体特性に基づいて実行される、調整する工程（Ｓ２）と、を含む、方法。
【請求項１７】
請求項１６に記載の方法であって、
―生産時間帯の間に生産された製品水の量を、前記生産時間帯の前記持続時間及び前記生産時間帯の間に検出された対応する前記浄水の流量を基づいて推定する工程（Ｓ５）、を含む方法。
【請求項１８】
請求項１７に記載の方法であって、
前記量が所定の生産量に達したときに所定の動作を引き起こす工程（Ｓ６）、を含む方法。
【請求項１９】
前記少なくとも１つの製品流体特性が、前記製品水経路（３７１ｃ）内の圧力を含み、前記１つ以上の所定の基準が、製品水経路（３７１ｃ）内の製品水の前記圧力が所定の上限圧力レベル未満に留まること、及び前記製品水経路（３７１ｃ）内の製品水の前記圧力が所定の圧力に相当すること、の少なくとも１つを含む１つ以上の所定の製品水基準を含む、請求項１６ないし１８のいずれか１項に記載の方法。
【請求項２０】
前記検出する工程（Ｓ１）が、前記浄水経路（３７１）の浸透水経路（３７１ａ）における浸透水の少なくとも１つの浸透流体特性を検出することを含み、ここで前記浸透水経路（３７１ａ）が前記製品水経路（３７１ｃ）の上流に配置され、前記調節する工程（Ｓ２）が、前記少なくとも１つの検出された前記浸透流体特性に基づいて、前記浸透水経路（３７１ａ）に内の前記浸透水の１つ以上の所定の浸透水基準を満たすように前記再循環経路（３７５）内の水の流量を調節することを含む、請求項１６ないし１９のいずれか１項に記載の方法。
【請求項２１】
請求項１６ないし１９のいずれか１項に記載の方法であって、
―前記浄水経路（３７１）内に配置されたヒータ（３０２）の下流の前記浄水経路（３７１）内の水の温度を測定することを含み、前記調節する工程（Ｓ２）は、前記温度センサ（３０３）によって検出された前記温度に基づいて、前記ＲＯ装置（３０１）のＲＯ膜（３２４）を通って流れる水の前記温度が所定の温度基準を満たすように、前記再循環経路における水の流量を調節する、方法。
【請求項２２】
前記浄水装置（３００）が浄水を生産している間に、前記検出する工程（Ｓ１）及び前記調節する工程（Ｓ２）を継続的に実施することを含む、請求項１６ないし２１のいずれか１項に記載の方法。
【請求項２３】
請求項１６ないし２２のいずれか１項に記載の方法であって、
―前記少なくとも１つの検出された製品流体特性の変化に応じてアラーム機能を起動する工程（Ｓ３）、を含む方法。
【請求項２４】
前記所定の上限圧力レベルは、前記製品水経路（３７１ｃ）の下流の製品水をろ過するように配置された少なくとも１つのフィルタ、又は前記製品水経路（３７１ｃ）内若しくは前記製品水経路（３７１ｃ）から所定の距離に配置されたいずれかの他のコンポーネントの圧力許容レベルに対応する、請求項１９に記載の方法。
【請求項２５】
前記調節する工程（Ｓ２）が、所定の量の水を生産するために、所定の時間帯の間に所定の流量を得るために前記製品水の前記流体特性を制御することを含む、請求項１６ないし２４のいずれか１項に記載の方法。
【請求項２６】
前記所定の量が０．５〜４００リットルである、請求項２５記載の方法。
【請求項２７】
請求項１６ないし２６のいずれか１項に記載の方法であって、
前記製品水経路（３７１ｃ）に流れる製品水の前記温度を制御する工程（Ｓ４）、を含む方法。
【請求項２８】
研磨装置（３０６）が、前記浄水流の中の前記再循環回路の下流に配置され、前記製品水経路（３７１ｃ）が前記研磨装置（３０６）の出口から前記製品水ポート（１２８）に製品水を搬送するように配置されている、請求項１６ないし２７のいずれか１項に記載の方法。
【請求項２９】
プログラムがコンピュータによって実行されるときに、請求項１６ないし２８のいずれか１項に記載の方法を前記コンピュータに実行させるための命令を含む、コンピュータプログラム。
【請求項３０】
コンピュータによって実行されたときに、請求項１６ないし２８のいずれか１項に記載の方法を前記コンピュータに実行させる命令を含む、コンピュータ読取可能な媒体。